(57)【特許請求の範囲】
【請求項１】
先端が尖った打ち込み部（２）にビスの螺合孔（６）を設け、この打ち込み部（２）の後端に、打ち込み端部（３）を残した状態で該打ち込み部の途中から一面側に角度をもって連なる延長部（４）を設けて形成された板状ファスナー（１）を斜めに打ち込むために用いる支持治具（２１）であって、
この支持治具（２１）が、前記板状ファスナー（１）の打ち込み部（２）を打ち込み可能に保持するホルダー（２２）と、このホルダー（２２）の一方端部に設けた位置決め用のプレート（２３）で形成され、
前記ホルダー（２２）は、板状ファスナー（１）の打ち込み部（２）が内部に納まる扁平な断面コ字状となって、前後及び一方の側面が開放し、前後方向の長さを前記打ち込み部（２）の全長に対して一部分を保持し得るように設定して形成され、
前記プレート（２３）は、ホルダー（２２）の上壁における一方の端部から、このプレート（２３）を垂直に立てたときホルダー（２２）が板状ファスナー（１）の打ち込み部（２）の打ち込み時に必要な傾斜角度に一致する角度をもって屈曲状に突出し、このプレート（２３）に、打ち込み後の板状ファスナー（１）の前記ビスの螺合孔（６）へねじ込むビス（５）の締結位置を表示する貫通孔（２４）を設けたことを特徴とする板状ファスナー用支持治具。
【発明の詳細な説明】
【０００１】
【発明の属する技術分野】
この発明は、石膏ボード壁等の内面側に手の入らない部分に部材や器具をビスで取り付けるための板状ファスナーを、壁に傾斜状態で打ち込む際に用いる支持治具に関する。
【０００２】
【従来の技術】
内面側に手が入らないような条件の石膏ボード壁に部材や器具をビス止めするため、本出願人は、該壁に打込んで使用する板状ファスナーを特願平９−８６８２号によって提案した。
【０００３】
この板状ファスナー１の第１の例は、図３に示すように、折り曲げが可能な一枚の金属薄板材を素材に用い、先端が尖った打ち込み部２と、この打ち込み部２の後端に打ち込み端部３を残した状態で該打ち込み部２の途中から一面側に角度をもって連なる延長部４とを連成し、打ち込み部２の幅方向中央位置にビス５の螺合孔６と、延長部４の幅方向中央位置にビス５の挿入孔７を設けた構造になっている。
【０００４】
上記打ち込み部２は、ビス５を螺締する座金の役目をし、尖った先端８の両側が後方に傾斜し、この傾斜部分に複数の尖鋭刃９が並べて設けられ、ビス５の螺合孔６は、ビス５に形成したねじの谷径が適合する直径のものを、前後方向に複数個、順次ラップするようなピッチで一列に並べて設けることにより、長孔の内周壁に複数の突起を設けた形状に形成されている。
【０００５】
前記延長部４は、打ち込み部２の途中で両側の連成部１０、１０を介して該打ち込み部２と連なる帯板状に形成され、両側の連成部１０、１０を弧状に屈曲させることにより、打ち込み部２に対して一面側へ適当な角度をもって連なっている。
【０００６】
この延長部４に設けたビス挿入孔７は、ビス５のねじにおける山径が通過可能な直径とし、また、延長部４の後端には、下面側へ直角に屈曲する折り曲げ片１１を設け、打ち込みに便利なようにしてもよく、この場合、延長部４の後端を折り取れるよう、延長部４の後端側に折り取り用の透孔１２とスリット１３を設けるようにする。
【０００７】
上記打ち込み部２と延長部４を一枚の金属薄板材から連成するには、打ち込み部２の形成部分と延長部の形成部分を一体に有する大きさ及び形状の薄板材を用意し、この薄板材の打ち込み部２を形成する部分の後端部に該当する中央位置に平面コ字状の切れ目１４を入れ、この切れ目１４を挟む両側の部分を連成部１０、１０とし、打ち込み部２に対して延長部４を連成部１０、１０の部分で屈曲させて角度をもたせている。
【０００８】
打ち込み部２は、切れ目１４で囲まれた部分がフラットのままで残って後方に延び、その後端部が打ち込み端部３になる。
【０００９】
次に、図７（Ａ）乃至（Ｃ）に示す板状ファスナー１の第２の例は、一枚の金属薄板材を用い、打ち込み部２と延長部４を同一平面のフラットな状態に連成し、打ち込み部２の後部側で幅方向中央位置に平面コ字状の切れ目１４を施し、該切れ目１４で囲まれた部分の後端が一面側へ弧状に屈曲して抜け止め用となる屈曲部１８になっている。
【００１０】
この例では、打ち込み部２の先端両側の傾斜部分がテーパ状の刃先９ａとなり、打ち込み部２に設けた螺合孔６は、ビス５の谷径が合致する幅の長孔によって形成されている。
【００１１】
図８（Ａ）乃至（Ｃ）に示す板状ファスナー１の第３の例は、打ち込み部２の後端部分の両側にＬ字状の切れ目１４ａ、１４ａを入れ、両切れ目１４ａ、１４ａ間の部分を打ち込み部２と延長部４の連成部１０とし、両切れ目１４ａ、１４ａの後端部分を屈曲部１８としたものである。
【００１２】
上記した板状ファスナーの使用は、第１の例の場合、内面側に手の入らない条件にある石膏ボードの壁１５の表面に対し、図４（Ａ）の如く打ち込み部２を傾斜状に臨ませ、該打ち込み部２をハンマーによる打ち込み端部３の打撃によって傾斜状に打ち込み、打ち込みの進行と共に打ち込み部２が形成した通過孔１６内に連成部１０、１０が進入することにより、図４（Ｂ）の如く、屈曲していた延長部４が打ち込み部２の前後方向に直線の延長状となり、この後は延長部１０の後端を打撃して打ち込みを続ける。
【００１３】
打ち込み部２が壁１５を完全に貫通すると、打ち込みをやめ、図４（Ｃ）の如く、薄板材の復元弾性により、打ち込み部２と延長部４は元の角度をもった状態に戻り、次に、図５（Ｄ）の如く、延長部４を手前に引き戻すと、打ち込み部２は壁１５の背面に密着し、壁１５に対して板状ファスナー１は抜け止め状になる。
【００１４】
この後、延長部４の後端を図５（Ｅ）に示すように、透孔１２とスリット１３の部分で折り取り、次に、図５（Ｆ）の如く、延長部４の壁１５から突出する部分を折り曲げて壁１５の表面に重ねる。これによって板状ファスナー１は、打ち込み部２と延長部４で壁１５を背面側と表面側から挟んだコ字状となる。
【００１５】
次に、壁１５の表面に対して部材１７の取り付けを行うには、図６に示すように、延長部４の表面に部材１７を重ね、この部材１７に挿通したビス５を挿入孔７の部分から壁１５にねじ込み、壁１５に進入したビス５は打ち込み部２に設けた螺合孔６に螺合し、このビス５の螺締により板状ファスナー１をアンカーとして部材１７を壁１５に締結することができる。
【００１６】
板状ファスナー１は、打ち込み部２と延長部４で壁１５を両面から挟み、延長部４に設けた挿入孔７から螺入したビス５を打ち込み部２の螺合孔６に螺合して部材１７を締結するので、背面に手が入らないような壁に対して表面側から部材や器具の取り付けが行えると共に、石膏ボードが破壊されるまでの締結強度が得られ、しかも、板状の連成部１０、１０が壁１５を貫通することにより、ビス５の螺締に対して共回りの発生がなく、ガッチリとした締結感が得られる。
【００１７】
図９は、第２及び第３の例の板状ファスナー１を用いた取り付け工程を示し、図９（Ａ）は図４（Ｃ）に、図９（Ｂ）は図５（Ｄ）に、図９（Ｃ）は図６（Ｂ）にそれぞれ対応している。
【００１８】
【発明が解決しようとする課題】
ところで、上記した板状ファスナー１は、石膏ボード壁１５に対して傾斜状に打ち込まなければならないと共に、打ち込み部２に設けたビスの螺合孔６をビスの締結位置に一致させなければならないが、打ち込み部２を所定の傾斜角度に見当をつけて打ち込むのでは傾斜角度が不正確になり、ビスの締結位置が変動するという問題がある。
【００１９】
そこで、この発明の課題は、上記した板状ファスナーを必要とする傾斜角度に正確に打ち込むことができ、ビスの締結位置を正確に出すことができる支持治具を提供することにある。
【００２０】
【課題を解決するための手段】
上記のような課題を解決するため、この発明は、先端が尖った打ち込み部にビスの螺合孔を設け、この打ち込み部の後端に、打ち込み端部を残した状態で該打ち込み部の途中から一面側に角度をもって連なる延長部を設けて形成された板状ファスナーを斜めに打ち込むために用いる支持治具であって、この支持治具が、前記板状ファスナーの打ち込み部を打ち込み可能に保持するホルダーと、このホルダーの一方端部に設けた位置決め用のプレートで形成され、前記ホルダーは、板状ファスナーの打ち込み部が内部に納まる扁平な断面コ字状となって、前後及び一方の側面が開放し、前後方向の長さを前記打ち込み部の全長に対して一部分を保持し得るように設定して形成され、前記プレートは、ホルダーの上壁における一方の端部から、このプレートを垂直に立てたときホルダーが板状ファスナーの打ち込み部の打ち込み時に必要な傾斜角度に一致する角度をもって屈曲状に突出し、このプレートに、打ち込み後の板状ファスナーの前記ビスの螺合孔へねじ込むビスの締結位置を表示する貫通孔を設けた構成を採用したものである。
【００２２】
ここで、支持治具は薄い金属板や硬質合成樹脂を用い、ホルダーとプレートは一体に形成され、ホルダーで保持した打ち込み部を角度が決まるまで打ち込んだらホルダーを打ち込み部から取り外せばよい。
【００２３】
【発明の実施の形態】
以下、この発明の実施の形態を図示例と共に説明する。
【００２４】
図１と図２に示す実施形態の支持治具２１は、板状ファスナー１の打ち込み部２を打ち込み可能に保持するホルダー２２と、このホルダー２２の一方端部に所定の角度をもって屈曲状に連成した位置決め用のプレート２３とによって構成され、プレート２３にビスによる締結位置の表示部となる貫通孔２４が設けられている。
【００２５】
上記ホルダー２２は、打ち込み部２が内部に納まる扁平な断面コ字状となって前後及び一方の側面が開放し、前後方向の長さは打ち込み部２の全長に対して一部分を保持し得るように設定されている。
【００２６】
プレート２３は、ホルダー２２の上壁における一方の端部から連なって傾斜し、ホルダー２２とプレート２３の屈曲角度は、プレート２３を垂直に立てたとき、ホルダー２２が打ち込み部２の打ち込み時に必要な角度に一致するように設定されている。
【００２７】
また、プレート２３に設ける貫通孔２４の位置は、石膏ボード壁１５に板状ファスナー１を装着したとき、打ち込み部２に設けたビス螺合孔６と石膏ボード壁１５を挟んで対向する位置になるよう設定されている。
【００２８】
なお、支持治具２１は、金属板を用いるか硬質合成樹脂を用いて形成する。
【００２９】
この発明の支持治具は上記のような構成であり、石膏ボード壁１５に対する板状ファスナー１の取り付け時において、図２で示すように、板状ファスナー１の打ち込み部２をホルダー２２内に挿入し、プレート２３を石膏ボード壁１５の外面に当てがい、貫通孔２４がビスの締結位置になるよう位置合せをした状態で、打ち込み部２を後端からの打撃によって打ち込む。
【００３０】
打ち込み部２はホルダー２２によって所定の傾斜角度に保持されているので、必要とする正確な角度で石膏ボード壁に打ち込むことができ、該打ち込み部２の打ち込み角度が決まるまで打ち込んだら、支持具２１の取り外しを行う。
【００３１】
図１に示すような実施形態の支持治具２１の場合は、ホルダー２２の側面が開放しているので、支持治具２１を横方向に移動させて取り外せばよい。
【００３２】
支持治具２１の取り外し後は、板状ファスナー１を従来の技術の項で述べた通りの手順で、打ち込み部２を石膏ボード壁１５に対して貫通させた後、延長部４を引き戻して打ち込み部２を該壁１５の内面側に当接させ、延長部４を壁１５の外面に沿って折り曲げた後、延長部４の挿入孔１２から壁１５を貫通して打ち込み部２の螺合孔６に螺締したビスで壁１５の外面に部材や器具を締結すればよく、ビスの締結位置が正確に出ているので、部材や器具を目的の位置へ正確に固定化できる。
【００３３】
【発明の効果】
以上のように、この発明によると、板状ファスナーの壁に対する打ち込み傾斜角度を正確に設定することができ、しかもプレートにはビス締結位置の表示部を設けてあるので、壁に対して部材や器具を正確な位置に取り付けることができるようになると共に、ホルダーが扁平な断面コ字状となって一方の側面が開放しているので、この開放端によって、板状ファスナーの打ち込み後に支持治具を横方向に移動させるだけで、板状ファスナーから取り外すことができる。
【図面の簡単な説明】
【図１】支持治具の実施形態を示す斜視図
【図２】支持治具を板状ファスナーの打ち込み工程に用いた状態を示す縦断面図
【図３】（Ａ）は板状ファスナーの第１の例を示す斜視図、（Ｂ）は同側面図、（Ｃ）は平面図
【図４】（Ａ）乃至（Ｃ）は板状ファスナーの打ち込み工程の前半を順番に示す断面図
【図５】（Ｄ）乃至（Ｆ）は上記打ち込み工程の後半を順番に示す断面図
【図６】（Ａ）は打ち込み状態を示す正面図、（Ｂ）は部材の取り付け状態を示す横断面図
【図７】（Ａ）は板状ファスナーの第２の例を示す斜視図、（Ｂ）は同平面図、（Ｃ）は同側面図
【図８】（Ａ）は板状ファスナーの第３の例を示す斜視図、（Ｂ）は同平面図、（Ｃ）は側面図
【図９】（Ａ）乃至（Ｃ）は第３の例の打ち込み工程を順番に示す断面図
【符号の説明】
１  板状ファスナー
２  打ち込み部
３  打ち込み端部
４  延長部
５  ビス
６  螺合孔
７  挿入孔
８  先端
９  尖鋭刃
１０  連成部
１５  壁
１７  部材
２１  支持治具
２２  ホルダー
２３  プレート
２４  貫通孔
【図１】
0003888723.tif 000002
【図２】
0003888723.tif 000003
【図３】
0003888723.tif 000004
【図４】
0003888723.tif 000005
【図５】
0003888723.tif 000006
【図６】
0003888723.tif 000007
【図７】
0003888723.tif 000008
【図８】
0003888723.tif 000009
【図９】
0003888723.tif 000010